(57)【要約】【課題】壁部Ｗと収納キャビネット１の棚板等横板との間の隙間を覆いつつ、両者間に配線類を容易に挿通し、横板と壁部Ｗとの間に不陸があっても隙間が発生しないようにする。【解決手段】配線カバー材１８は、横板としての棚板３の後面に固定される横板固定部材２０と、壁部Ｗ前面に固定され、横板固定部材２０に対向配置される壁固定部材３０とを備える。横板固定部材２０は、棚板３の後面に取付固定される基部２１と、その上部に連続し、後側に向かって水平方向に延びる上面部２２とを備えている一方、壁固定部材３０は、壁部Ｗの前面に取付固定される基部３１と、その上部に連続し、前側に向かって水平方向に延びる上面部３２とを備えている。横板固定部材２０の上面部２２と壁固定部材３０の上面部３２とが、両上面部２２，３２間に配線類Ｃを挿通可能な状態で上下方向から見て重なり合って壁部Ｗと棚板３との間の隙間を覆っている。【選択図】図４
2014140394.tif 000002
【特許請求の範囲】
【請求項１】
壁部と、該壁部の前側に設置される収納体等の天板又は棚板からなる横板との間に設けられて、該壁部と横板との間の隙間を覆うようにした配線カバー材であって、
上記横板の後面に固定される横板固定部材と、
壁部前面に固定され、上記横板固定部材に対向配置される壁固定部材とを備え、
上記横板固定部材は、横板の後面に取付固定される基部と、該基部の上部に連続し、後側に向かって水平方向に延びる上面部とを備えている一方、
上記壁固定部材は、壁部の前面に取付固定される基部と、該基部の上部に連続し、前側に向かって水平方向に延びる上面部とを備え、
上記横板固定部材の上面部と壁固定部材の上面部とが、該両上面部間に配線類を挿通可能な状態で上下方向から見て重なり合って上記壁部と横板との間の隙間を覆っていることを特徴とする配線カバー材。
【請求項２】
請求項１において、
横板固定部材の上面部又は壁固定部材の上面部のうち、上側に重なる上面部が基部に対しヒンジ部により上側を向くように回動可能に接続されていることを特徴とする配線カバー材。
【請求項３】
請求項１又は２において、
横板固定部材又は壁固定部材の少なくとも一方は、基部の下部に連続して、対向する固定部材側に延びる下面部を備えていることを特徴とする配線カバー材。
【請求項４】
請求項３において、
下面部には、対向する固定部材側に向かって上側に向かうように傾斜する傾斜部が設けられていることを特徴とする配線カバー材。
【請求項５】
請求項１〜４のいずれか１つにおいて、
横板固定部材の基部及び壁固定部材の基部の少なくとも一方に上下方向に延びる長孔が形成されており、
固定部材は、該長孔に挿通される締結具によって横板又は壁部に固定されていることを特徴とする配線カバー材。
【発明の詳細な説明】
【技術分野】
【０００１】
本発明は、机や収納体（収納キャビネット）の天板や棚板等からなる横板と、その後側の壁部との間に配設されて両者の隙間を覆うとともに、横板及び壁部間の不陸調整を行うようにした配線カバー材に関する。
【背景技術】
【０００２】
一般に、壁部の前側に位置する収納キャビネットの棚板や机の天板（甲板）の上にＡＶ機器やパソコン等の機器類を設置する場合、棚板や天板と壁部との間に隙間を空けておき、その隙間に機器類の配線類を挿通したり、収納キャビネットにあっては湿気が籠もらないように隙間により通気性を高めたりすることが行われている。
【０００３】
しかし、こうして棚板や天板と壁部との間に隙間があると、その隙間が目立つという問題がある。それだけでなく、棚板や天板上の小物類（机にあっては筆記具等）を隙間から落としてしまい、それを取り出すのにキャビネットや机等の移動が必要な場合があり、手間が掛かるという問題がある。
【０００４】
そこで、このような問題を解決するために、従来、例えば特許文献１や特許文献２に示されるように、棚板や天板又は壁部に固定されて両者間の隙間を埋めるとともに、軟質材からなる先端部の変形によって配線類を挿通させ得るようにしたカバー材が提案されている。
【先行技術文献】
【特許文献】
【０００５】
【特許文献１】特開平２−９８３１２号公報
【特許文献２】特開平９−２９９１５２号公報
【発明の概要】
【発明が解決しようとする課題】
【０００６】
ところが、これら従来のものでは、カバー材の先端部が軟質材で構成されているので、配線類の挿通が容易であるものの、その反面、配線類が挿通された部分が凹むように変形するだけであり、棚板や天板と壁部との間に不陸があったときには、やはり隙間が発生してしまうという不具合がある。
【０００７】
本発明は斯かる点に鑑みてなされたもので、その目的は、この種のカバー材の構成について改良を加えることにより、棚板や天板等の横板と壁部との間の隙間を覆いつつ、両者間に配線類を容易に挿通するとともに、横板と壁部との間に不陸があっても、隙間が発生しないようにすることにある。
【課題を解決するための手段】
【０００８】
上記の目的を達成すべく、この発明では、カバー材を横板側及び壁部側の２種類の固定部材の組み合わせによって構成し、両固定部材を上面部同士が上下方向からみて重なるように配置することにより、横板と壁部との間の不陸による隙間の発生を防止するようにした。
【０００９】
具体的には、第１の発明は、壁部と、この壁部の前側に設置される収納体等の天板又は棚板からなる横板との間に設けられて、壁部と横板との間の隙間を覆うようにした配線カバー材が対象である。本発明においては、壁部は建物の壁部の他、間仕切り壁やパーティション等も含むこととする。
【００１０】
この配線カバー材は、上記横板の後面に固定される横板固定部材と、壁部前面に固定され、上記横板固定部材に対向配置される壁固定部材とを備え、上記横板固定部材は、横板の後面に取付固定される基部と、この基部の上部に連続し、後側に向かって水平方向に延びる上面部とを備えている一方、上記壁固定部材は、壁部の前面に取付固定される基部と、この基部の上部に連続し、前側に向かって水平方向に延びる上面部とを備え、上記横板固定部材の上面部と壁固定部材の上面部とが、該両上面部間に配線類を挿通可能な状態で上下方向から見て重なり合って上記壁部と横板との間の隙間を覆っていることを特徴とする。
【００１１】
この第１の発明では、横板固定部材が基部にて横板の後面に、また壁固定部材が基部にて壁部前面にそれぞれ互いに対向するように配置されて固定され、この固定状態では、両固定部材の基部から水平方向に延びる上面部同士が上下方向から見て重なり合うようになる。そのため、横板と壁部との隙間があっても、その隙間は両固定部材の上面部で覆われることとなり、隙間をなくして見映えを良くすることができるとともに、隙間から小物類が落ちるのを防止することができる。
【００１２】
また、横板固定部材の上面部と壁固定部材の上面部とは、それらの間に配線類が挿通可能な状態で上下方向から見て重なり合っているので、それら上面部間に配線類を挿通することができ、その挿通が容易となる。
【００１３】
しかも、両固定部材の上面部同士が上下方向から見て重なり合っているので、壁部に不陸があったとしても、その重なり幅を変えることで不陸が吸収されるようになり、不陸による隙間が発生することはない。
【００１４】
第２の発明は、第１の発明において、横板固定部材の上面部又は壁固定部材の上面部のうち、上側に重なる上面部が基部に対しヒンジ部により上側を向くように回動可能に接続されていることを特徴とする。
【００１５】
この第２の発明では、２つの固定部材の上面部が上下方向から見て重なったときに上側になる上面部が基部にヒンジ部を介して回動可能に接続されているので、配線類の挿通時には、上側の上面部を跳ね上げて開放し、下側の上面部との間に大きな間隔をあけることができ、配線類の挿通が容易となる。
【００１６】
また、配線類を挿通させないときには、上側の上面部が自重等により回動して下側の上面部に密着して重なるようになり、上面部が回動可能でなくて両固定部材の上面部間に配線挿通用の間隔が空いている場合に比べ、両上面部の密着性が高くなり、その分、見映えが良くなる。
【００１７】
第３の発明は、第１又は第２の発明において、横板固定部材又は壁固定部材の少なくとも一方は、基部の下部に連続して、対向する固定部材側に延びる下面部を備えていることを特徴とする。
【００１８】
この第３の発明では、固定部材が下面部を有しているので、配線類を両固定部材間で水平方向に通す場合には、その配線類を下面部の上側に保持できるようになり、その落下を防止することができる。
【００１９】
第４の発明は、第３の発明において、上記下面部には、上記対向する固定部材側に向かって上側に向かうように傾斜する傾斜部が設けられていることを特徴とする。
【００２０】
この第４の発明では、固定部材の下面部に傾斜部が設けられているので、配線カバー材の下側から配線類を上側に挿通させる場合には、配線類の先端部（上端部）が傾斜部の下面に案内されて両固定部材の上面部間に向かうようになり、この傾斜部のガイド作用により配線類を上側に通し易くなる。
【００２１】
また、配線類を両固定部材間で水平方向に通す場合には、その配線類を傾斜部の上側に安定して保持できるようになり、その落下をより確実に防止することができる。
【００２２】
第５の発明は、第１〜第４の発明のいずれか１つにおいて、横板固定部材の基部及び壁固定部材の基部の少なくとも一方に上下方向に延びる長孔が形成されており、固定部材は、該長孔に挿通される締結具によって横板又は壁部に固定されていることを特徴とする。
【００２３】
この第５の発明では、長孔での締結具の挿通位置を変えることで、両固定部材の相対的な高さ位置を調整することができ、その望ましい相対高さ位置が容易に得られる。
【発明の効果】
【００２４】
以上説明した如く、第１の発明によると、横板の後面に横板固定部材を、また壁部前面に壁固定部材をそれぞれ互いに対向するように配置して固定し、その固定状態で両固定部材の水平方向に延びる上面部を上下方向から見て重なり合うようにしたことにより、横板と壁部との隙間を両固定部材の上面部で覆うことができ、見映えの向上、及び隙間からの小物類の落下防止を図ることができる。また、横板固定部材の上面部と壁固定部材の上面部とが両者間に配線類の挿通可能に重なり合っているので、上面部間に配線類を容易に挿通することができる。さらには、両固定部材の上面部同士の重なり合いにより、壁部の不陸を吸収して、不陸による隙間の発生を防止することができる。
【００２５】
第２の発明によると、２つの固定部材の上面部のうち上側に重なる上面部を基部に対しヒンジ部を介して回動可能に接続したことにより、配線類の挿通時に、上側の上面部を上側に回動して下側の上面部との間に大きな間隔をあけることができ、配線類の挿通容易化を図ることができるとともに、配線類の非挿通状態では上側の上面部を自重により回動させて下側の上面部に重ねる、両上面部同士を密着させて見映えの向上を図ることができる。
【００２６】
第３の発明によると、両固定部材の少なくとも一方は、基部の下部に連続する下面部を備えたものとしたことにより、配線類を両固定部材間で水平方向に通す場合に、その配線類を傾斜部の上側に保持して、その落下の防止を図ることができる。
【００２７】
第４の発明によると、固定部材の下面部に、対向する固定部材側に向かって上側に向かうように傾斜する傾斜部を設けたことにより、配線カバー材の下側から配線類を上側に挿通させる場合に、配線類の先端部を傾斜部の下面で案内して両固定部材の上面部間に向かうようにすることができ、配線類を上側に通し易くなるとともに、配線類を両固定部材間で水平方向に通す場合にも、その配線類を傾斜部の上側に安定保持して、その落下の防止をより一層確実に図ることができる。
【００２８】
第５の発明によると、両固定部材の基部の少なくとも一方に上下方向に延びる長孔を形成して、その長孔に挿通される締結具によって固定部材を固定するようにしたことにより、長孔での締結具の挿通位置を変えて、両固定部材の望ましい相対高さ位置が容易に得られる。
【図面の簡単な説明】
【００２９】
【図１】図１は、本発明の実施形態１に係る配線カバー材が取り付けられた収納キャビネットの正面図である。
【図２】図２は収納キャビネットの平面図である。
【図３】図３は収納キャビネットの側面図である。
【図４】図４（ａ）は、実施形態１に係る配線カバー材の横板固定部材を収納キャビネットの棚板に、また壁固定部材を壁部にそれぞれ取付固定した状態で示す側面図、図４（ｂ）は配線カバー材の斜視図である。
【図５】図５は、実施形態２を示す図４相当図である。
【図６】図６は、実施形態３を示す図４相当図である。
【図７】図７は、実施形態４を示す図４相当図である。
【図８】図８は、実施形態５を示す図４相当図である。
【図９】図９は、実施形態６を示す図４相当図である。
【図１０】図１０は、実施形態７を示す図４相当図である。
【図１１】図１１は、実施形態８を示す図４相当図である。
【発明を実施するための形態】
【００３０】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３１】
［実施形態１］
図１〜図３において、Ｆは例えば住宅におけるリビングルーム等の室内の床、Ｗはその壁部であって、この壁部Ｗ前側の床Ｆ上には収納体としての作り付けの収納キャビネット１が設置されている。この収納キャビネット１は、水平方向に延びる上下４枚の棚板３，３，…（最上に位置するものは天板ともいう）と、上下方向（鉛直方向）に延びると共に棚板３，３，…で分断された左右４枚の方立板４，４，…とを格子状に組んで一体化したキャビネット本体２を有し、このキャビネット本体２の左右中央下部寄りには、例えば薄型テレビ（図示せず）を収納するためのテレビ収納空間Ｓ１が区画されている。
【００３２】
また、このキャビネット本体２のテレビ収納空間Ｓ１の左右両側に隣接する左側及び右側の２枚の方立板４，４間には、それぞれ水平方向に延びると共に収納空間Ｓ１で分断された分割棚板５，５が掛け渡されている。また、テレビ収納空間Ｓ１の上側に位置する３枚の棚板３，３，…間には、収納キャビネット１の左右中央に位置する上下方向（鉛直方向）に延びる分割方立板６が配設されている。さらに、キャビネット本体２の下部（テレビ収納空間Ｓ１よりも下側）に位置する４枚の方立板４，４，…間には水平方向に延びる底板７が掛け渡されている。以上の方立板４，４，…、分割方立板６、棚板３，３，…、分割棚板５，５及び底板７により、キャビネット本体２にはテレビ収納空間Ｓ１以外に１５の収納空間Ｓ２，Ｓ２，…，Ｓ９が区画されている。
【００３３】
また、キャビネット本体２の前部には、左右２枚の縦長のアウトセット扉１０，１０と、このアウトセット扉１０，１０よりも後側（キャビネット本体２側）に位置し、キャビネット本体２の上端部に位置する左右２枚の上側インセット扉１１，１１、及び該上側インセット扉１１，１１の下側に位置する左右２枚の下側インセット扉１２，１２とがそれぞれスライド機構（図示せず）により左右方向にスライド移動可能に取付支持されている。上記各アウトセット扉１０は、テレビ収納空間Ｓ１の左右半部及び該テレビ収納空間Ｓ１の上側に隣接する収納空間Ｓ７と、テレビ収納空間Ｓ１の左右に隣接する上下２つの収納空間Ｓ３，Ｓ４及び該両収納空間Ｓ３，Ｓ４の上側に隣接する収納空間Ｓ５との間をスライド移動して、前者の収納空間Ｓ１，Ｓ７及び後者の収納空間Ｓ３〜Ｓ５を交互に開閉する。また、上側インセット扉１１は、キャビネット本体２上端の左右中央寄りの収納空間Ｓ８，Ｓ８と、その左右両側に隣接する収納空間Ｓ６，Ｓ６との間を移動して両収納空間Ｓ８，Ｓ６を交互に開閉する。さらに、下側インセット扉１２，１２は、上から２番目でテレビ収納空間Ｓ１の上側に隣接する収納空間Ｓ７，Ｓ７と、その左右両側に隣接する収納空間Ｓ５，Ｓ５との間を移動して両収納空間Ｓ８，Ｓ５を交互に開閉する。尚、上記スライド機構はどのようなものであってもよく、公知のものを使用することができる。
【００３４】
また、キャビネット本体２において、テレビ収納空間Ｓ１真下の収納空間Ｓ９には例えばＡＶ機器（図示せず）が設置される。そのため、この収納空間Ｓ９の周囲に位置する部分であるキャビネット本体２前端部には透明ガラス製の開閉扉１３が例えば下端部にて左右水平方向の軸心を有するヒンジ（図示せず）により揺動可能に支持され、この開閉扉１３により収納空間Ｓ９を開閉するようにしている。
【００３５】
さらに、テレビ収納空間Ｓ１よりも下側の左右の収納空間Ｓ２，Ｓ２にはそれぞれ引出し１４，１４が前後方向にスライド移動可能に収容されている。
【００３６】
上記キャビネット本体２の４枚の棚板３，３，…は、いずれも本発明でいう横板を構成しており、この各棚板３と上記壁部Ｗとの間に、各棚板３と壁部Ｗとの間の隙間を覆うための本発明の実施形態１に係る配線カバー材１８が設けられている。
【００３７】
図４に示すように、上記配線カバー材１８は、横板固定部材２０と壁固定部材３０とを備え、これらが組み合わせられてなる。これらの横板固定部材２０及び壁固定部材３０は例えば樹脂製で押し出し成形されたものとされている。
【００３８】
（横板固定部材）
上記横板固定部材２０は、棚板３（横板）の後面にその左右全体に亘り固定される後側に開放された断面略コ字状のもので、棚板３の厚さと同じでその後面（木口面）に取付固定される上下方向に延びる基部２１と、この基部２１の上端に連続し、後側に向かって水平方向に延びる上面部２２と、基部２１の下端に連続し、後側（横板固定部材２０に対向する壁固定部材３０側）に向かって延びる下面部２３とを備えている。この下面部２３には、その全体に亘り、上記対向する壁固定部材３０側（後側）に向かって上側に向かうように傾斜する傾斜部４０が設けられている（下面部２３全体が傾斜部４０で構成されている）。また、下面部２３の後方向への突出量は上面部２２の突出量（前後幅）よりも短くて、下面部２３の後端（先端）は上面部２２の後端（先端）よりも前側に位置している。
【００３９】
そして、上記基部２１には複数のネジ挿通孔４１，４１，…が横板固定部材２０の長さ方向に所定の間隔をあけて貫通形成されており、横板固定部材２０は、該各ネジ挿通孔４１に挿通されるネジ４２（締結具）によって棚板３の後面に固定されている。
【００４０】
また、上記上面部２２と基部２１との接続部は、他の部分よりも薄肉に形成されて薄肉ヒンジ部４３を構成しており、上面部２２は基部２１に対し薄肉ヒンジ部４３により上側を向くように前回り（図４（ａ）で反時計回り方向）に回動可能に接続されている。
【００４１】
尚、図４中、２４，２４は基部２１の上下端部（上面部２２及び下面部２３の接続部）にそれぞれ長さ方向の全体に亘り前側に向くように一体に突設されたカバー片であり、両カバー片２４，２４の間に棚板３を挟むようにしている。
【００４２】
（壁固定部材）
一方、上記壁固定部材３０は、上記横板固定部材２０と同じ左右長さを有し、壁部Ｗの前面に該横板固定部材２０と対向配置されるように固定される前側に開放された断面略コ字状のもので、壁部Ｗの前面に取付固定される上下方向に延びる基部３１と、この基部３１の上端に連続し、前側に向かって水平方向に延びる上面部３２と、基部３１の下端に連続し、前側（壁固定部材３０に対向する横板固定部材２０側）に向かって上面部３２と平行に水平に延びる下面部３３とを備えている。上記基部３１の高さは横板固定部材２０の基部２１と略同じであり、上記上面部３２の高さ位置は上記横板固定部材２０の上面部２２よりも僅かに低く、上面部３２の前方向への突出量（前後幅）は横板固定部材２０の上面部２２の突出量（前後幅）よりも短くされている。また、下面部３３の高さ位置は横板固定部材２０の下面部２３前端と略同じで、下面部３３の前方向への突出量（前後幅）は同じ壁固定部材３０の上面部３２の突出量よりも少し長く、下面部３３の前端（先端）は上面部３２の前端（先端）よりも前側に位置している。
【００４３】
上記基部３１には上下方向に延びる複数の長孔４４，４４，…が壁固定部材３０の長さ方向に所定の間隔をあけて形成されており、壁固定部材３０は、該各長孔４４に挿通されるネジ４２（締結具）によって壁部Ｗの前面に固定されるとともに、そのネジ４２を緩めることで高さ位置を調整可能とされている。
【００４４】
そして、図４に示すように、上記横板固定部材２０と壁固定部材３０とは各々の開放側を向かい合わせるように配置されている。この配置状態では、横板固定部材２０の上面部２２と壁固定部材３０の上面部３２とは、横板固定部材２０の上面部２２が壁固定部材３０の上面部３２の上側になるように当接した状態で上下方向から見て重なり合い、その横板固定部材２０の上面部２２の略後端部が壁固定部材３０の上面部３２上面に重なっている。また、壁固定部材３０の下面部３３前端（先端）は横板固定部材２０における下面部２３（傾斜部４０）後端（先端）の略真下に位置し、この横板固定部材２０の下面部２３の傾斜部４０による傾斜により両下面部２３，３３間に配線挿通用の間隔が常時空けられている。
【００４５】
さらに、横板固定部材２０の上面部２２が壁固定部材３０の上面部３２の上側に重なった状態で、その上側に重なった横板固定部材２０の上面部２２を薄肉ヒンジ部４３で上側に回動させることで、壁固定部材３０の上面部３２との間に配線挿通用の間隔（スペース）を形成して、その両上面部２２，３２間の間隔に配線類Ｃを挿通可能な状態としており、その状態で横板固定部材２０の上面部２２と壁固定部材３０の上面部３２とにより壁部Ｗと棚板３との間の隙間を覆うようにしている。
【００４６】
したがって、上記実施形態においては、壁部Ｗ前側の床Ｆ上に収納キャビネット１が設置されている状態で、その各棚板３の後面に配線カバー材１８の横板固定部材２０が基部２１にて、また壁部Ｗ前面に配線カバー材１８の壁固定部材３０が基部３１にてそれぞれ互いに対向するように配置されてネジ４２，４２，…により固定される。この固定状態では、横板固定部材２０の上面部２２が壁固定部材３０の上面部３２に上側から重なって当接する。そのため、各棚板３と壁部Ｗとの間に隙間があっても、その隙間は両固定部材２０，３０の上面部２２，３２で覆われることとなり、隙間をなくして見映えを良くすることができ、また、棚板３上等にある小物類が隙間から落ちるのを防止することができる。
【００４７】
また、両固定部材２０，３０の上面部２２，３２同士が上下方向から見て重なり合っているので、壁部Ｗに不陸があったとしても、その重なり幅を変えることで不陸が吸収されるようになり、不陸による隙間が発生することはない。
【００４８】
さらに、壁固定部材３０の上面部３２上側に重なっている横板固定部材２０の上面部２２が基部２１に対し薄肉ヒンジ部４３により回動可能に接続されているので、収納キャビネット１のテレビ収納空間Ｓ１に設置されるテレビや、収納空間Ｓ９に設置されるＡＶ機器、或いは他の収納空間Ｓ２〜Ｓ８に収納される電気機器等の配線類Ｃを収納キャビネット１の後側に引き出して該収納キャビネット１と壁部Ｗとの間に上下方向に挿通配置する場合、目的の配線カバー材１８において上側に位置する、横板固定部材２０の上面部２２を薄肉ヒンジ部４３を介して上側に跳ね上げて、下側に位置する、壁固定部材３０の上面部３２との間を開放し、その下側の上面部３２との間に大きな間隔をあけて、その開放部分に配線類Ｃを通せばよく、配線類Ｃの挿通が容易となる。尚、両固定部材２０，３０の下面部２３，３３間にも間隔が常時空けられているので、この間隔にも容易に配線類Ｃを挿通することができる。
【００４９】
また、このようにして、配線類Ｃの挿通時のみに、重なった上側の上面部２２を回動させて下側の上面部３２との間に間隔をあければよく、配線類Ｃを挿通させないときには、上側に位置する横板固定部材２０の上面部２２が自重により回動して下側の壁固定部材３０の上面部３２に密着して重なるようになる。そのため、上面部２２が回動不能で両固定部材２０，３０の上面部２２，３２間に配線挿通用の間隔が常時空いている場合（後述する実施形態５〜実施形態８（図８〜図１１）等参照）に比べ、両上面部２２，３２の密着性が高く、その分、見映えが良くなる。
【００５０】
しかも、横板固定部材２０及び壁固定部材３０はそれぞれ下面部２３，３３を有しているので、配線類Ｃを両固定部材２０，３０間で水平方向に通す場合には、その配線類Ｃを下面部２３，３３の上側に保持することができ、その落下を防止することができる。
【００５１】
また、横板固定部材２０の下面部２３には、対向する壁固定部材３０側である後側に向かって上側に向かうように傾斜する傾斜部４０が設けられているので、上記配線類Ｃを配線カバー材１８の下側から上側に挿通させる場合、その配線類Ｃの先端部等が傾斜部４０の下面に案内されて両固定部材２０，３０の上面部２２，３２間に向かうようになり、この傾斜部４０のガイド作用により配線類Ｃを上側に通し易くなる。また、上記両固定部材２０，３０間で水平方向に通る配線類Ｃは上記傾斜部４０の上側に安定して保持されるようになり、その落下をより一層確実に防止することができる。
【００５２】
さらにまた、上記壁固定部材３０の基部３１に上下方向に延びる長孔４４，４４，…が形成され、この各長孔４４に挿通されるネジ４２によって壁固定部材３０が壁部Ｗに固定されているので、この長孔４４でのネジ４２の挿通位置を変えることで、壁固定部材３０の横板固定部材２０に対する相対的な高さ位置を調整することができ、その望ましい相対高さ位置が容易に得られる。
【００５３】
［実施形態２］
図５は本発明の実施形態２を示し（尚、以下の各実施形態では、図１〜図４と同じ部分については同じ符号を付してその詳細な説明は省略する）、横板固定部材２０における下面部２３の形状を変えたものである。
【００５４】
すなわち、この実施形態では、横板固定部材２０の下面部２３において、その基部２１側に傾斜部４０が形成され、基部２１と反対側である後端側（先端側）の下面部２３は、傾斜部４０の後端から後側に向かって水平方向に延び、かつ壁固定部材３０の下面部３３前端部と間隔をあけた状態で上下方向から見て重なっている。その他の構成は実施形態１と同じであり、よって、この実施形態でも実施形態１と同様の作用効果が得られる。
【００５５】
［実施形態３］
図６は実施形態３を示す。この実施形態では、横板固定部材２０の基部２１は、高さが棚板３の厚さの２／３程度であり、棚板３の後面の上側部分に取り付けられている。また、その下面部２３は傾斜部４０が設けられておらず、水平方向に後方に延び、後端部は上側に折り曲げられている。
【００５６】
一方、壁固定部材３０の下面部３３の前方向への突出量（前後幅）は、同じ壁固定部材３０の上面部３２の突出量（前後幅）の２倍程度に長く、その下面部３３の前端（先端）は上面部３２の前端（先端）よりも前側に位置して、上記横板固定部材２０の下面部２３の後端部と間隔をあけた状態で上下方向から見て重なっている。その他は実施形態１と同様である。
【００５７】
この実施形態の場合、下面部２３における傾斜部４０による作用効果は得られないものの、その他の作用効果は実施形態１と同様に得られる。また、横板固定部材２０の下面部２３の後端が上方に折り曲げられているので、この下面部２３上に配線類Ｃを安定して保持することができる。
【００５８】
［実施形態４］
図７は実施形態４を示す。この実施形態では、上記実施形態２（図５参照）において、次の変更が加えられている。横板固定部材２０の上面部２２は薄肉ヒンジ部４３によって基部２１に接続されておらず、基部２１の上端から少し下がった位置（上部）に後側に向かうように水平に突設され、その突出長さは下面部２３よりも短くされている。
【００５９】
その代わり、壁固定部材３０の上面部３２の突出長さは下面部３３よりも長く、この上面部３２は、基部３１に対し薄肉ヒンジ部４３を介して上側を向くように後回り（図７（ａ）で時計回り方向）に回動可能に接続されており、この壁固定部材３０の上面部３２が横板固定部材２０の上面部２２に上側から重なっている。その他の構成は実施形態２と同様である。
【００６０】
したがって、この実施形態においては、電気機器等の配線類Ｃを収納キャビネット１と壁部Ｗとの間に上下方向に挿通配置する場合、配線カバー材１８の上側に位置する、壁固定部材３０の上面部３２を薄肉ヒンジ部４３を介して後回りに上側に跳ね上げて、下側に位置する、横板固定部材２０の上面部２２との間を開放し、下側の上面部２２との間に大きな間隔をあけ、その開放部分に配線類Ｃを通せばよく、配線類Ｃの挿通が容易となる。その他は実施形態２（実施形態１）と同様の作用効果を奏することができる。
【００６１】
［実施形態５］
図８は実施形態５を示し、上記各実施形態では、上下に重なる２つの上面部２２，３２のうちの上側に位置する上面部２２（又は３２）を薄肉ヒンジ部４３により回動可能にすることで、下側の上面部３２（又は２２）との間に配線挿通用の間隔を空け得るようにしているのに対し、上下に重なる両上面部２２，３２間に配線挿通用の間隔を常時空けるようにしたものである。
【００６２】
すなわち、この実施形態では、上記実施形態２（図５参照）の構成において、次のような変更が加えられている。横板固定部材２０の上面部２２は薄肉ヒンジ部４３によって基部２１に接続されておらず、基部２１の上端から後側に向かうように水平に突設され、その突出長さは下面部２３と略同じとされている。
【００６３】
一方、壁固定部材３０の基部３１の高さは横板固定部材２０の基部２１よりも低く、壁固定部材３０の下面部３３の高さ位置は横板固定部材２０の基部２１下端と同じあるが、上面部３２は、高さ位置が横板固定部材２０の上記上面部２２よりも低く、かつ突出量が壁固定部材３０の下面部３３よりも少し短くて、この壁固定部材３０の上面部３２と横板固定部材２０の上面部２２とは、後者が前者の上側に位置して上下方向に間隔を空けた状態で上下方向から見て僅かに重なっており、この両固定部材２０，３０の上面部２２，３２間の間隔（及び下面部２３，３３間の間隔）に配線類Ｃを挿通可能としている。その他の構成は実施形態２と同じである。
【００６４】
したがって、この実施形態においては、収納キャビネット１の各棚板３と壁部Ｗとの間に配線カバー材１８が、その横板固定部材２０の基部２１を棚板３の後面に、また壁固定部材３０の基部３１を壁部Ｗにそれぞれ取付固定することで配置される。
【００６５】
そのとき、壁固定部材３０の上面部３２と横板固定部材２０の上面部２２とは上下方向に間隔を空けた状態で上下方向から見て重なっており、この両固定部材２０，３０の上面部２２，３２間に間隔が空けられているので、この間隔に配線類Ｃを容易に挿通することができる。尚、両固定部材２０，３０の下面部２３，３３間にも間隔が常時空けられているので、この間隔にも容易に配線類Ｃを挿通することができる。
【００６６】
また、横板固定部材２０の下面部２３に傾斜部４０が設けられているので、配線カバー材１８の下側から配線類Ｃを上側に挿通させる際に、配線類Ｃの先端部が傾斜部４０の下面に案内されて両固定部材２０，３０の上面部２２，３２間に向かうようになり、この傾斜部４０のガイド作用により配線類Ｃを上側に通し易くなる。
【００６７】
しかも、配線類Ｃを両固定部材２０，３０間で水平方向に通す場合には、その配線類Ｃを下面部２３，３３や該下面部２３の傾斜部４０の上側に保持できるので、その落下を防止できる。
【００６８】
さらに、両固定部材２０，３０の上面部２２，３２が上下方向に間隔を空けているとはいえ、それら水平方向に延びる上面部２２，３２同士が上下方向から見て重なり合っているため、棚板３と壁部Ｗとの隙間があっても、その隙間を両固定部材２０，３０の上面部２２，３２で覆うことができ、隙間をなくして見映えを良くすることができ、隙間から小物類が落ちるのをも防止できる。
【００６９】
また、両固定部材２０，３０の上面部２２，３２同士が上下方向から見て重なり合っていることから、壁部Ｗに不陸があったとしても、その重なり幅を変えることで不陸を吸収でき、不陸による隙間の発生を防止することができる。
【００７０】
［実施形態６］
図９は実施形態６を示す。この実施形態では、上記実施形態５（図８参照）において、次のように変更されている。横板固定部材２０の上面部２２は、基部２１の上端よりも下がった上部に後側に向かうように水平に突設され、その突出長さは下面部２３よりも短くされている。
【００７１】
一方、壁固定部材３０の基部３１の高さは横板固定部材２０の基部２１と略同じであり、その上面部３２は、高さ位置が横板固定部材２０の基部２１上端と同じで、基部３１から前側に延びるように突出し、その突出長さ（前後幅）は下面部３３よりも長くなっている。
【００７２】
このことで、壁固定部材３０の上面部３２と横板固定部材２０の上面部２２とは、前者が後者の上側に位置して上下方向に間隔を空けた状態で上下方向から見て重なっており、この両固定部材２０，３０の上面部２２，３２間の間隔（及び下面部２３，３３間の間隔）に配線類Ｃを挿通可能としている。その他の構成は実施形態５と同じである。よって、この実施形態でも実施形態５と同様の作用効果を奏することができる。
【００７３】
［実施形態７］
図１０は実施形態７を示す。この実施形態では、棚板３の後端部には、その上端角部を断面矩形状に切り欠いた切欠段部３ａが形成され、この切欠段部３ａに配線カバー材１８の横板固定部材２０が取付固定されている。この横板固定部材２０は、切欠段部３ａの縦面と同じ高さで該縦面に固定された基部２１を備え、この基部２１は上端が棚板３の上面と略同じ高さ位置で、その基部２１上端から上面部２２が後方に向かって水平に突出している。基部２１の下端には下面部２３が設けられていない。
【００７４】
一方、壁固定部材３０の基部３１の高さは横板固定部材２０の基部２１よりも少し高く、その下端は棚板３の下面と略同じ高さ位置に位置し、その下端から下面部３３が水平に前側に突出している。壁固定部材３０の基部３１上端は、横板固定部材２０の基部２１の上下中間位置に位置し、その上端から上面部３２が下面部３３と同程度の突出量で水平に前側に突出している。
【００７５】
このことで、壁固定部材３０の上面部３２と横板固定部材２０の上面部２２とは、後者が前者の上側に位置して上下方向に間隔を空けた状態で上下方向から見て重なっており、この両固定部材２０，３０の上面部２２，３２間の間隔、及び壁固定部材３０の下面部３３と棚板３の後端部下面との間の間隔に配線類Ｃを挿通可能としている。その他の構成は実施形態５（図８参照）と同じである。
【００７６】
よって、この実施形態では、下面部２３における傾斜部４０による作用効果を除き、実施形態５と同様の作用効果を奏することができる。
【００７７】
［実施形態８］
図１１は実施形態８を示し、この実施形態では、上記実施形態７（図１０参照）の壁固定部材３０の下面部３３に、その全体に亘り、対向する横板固定部材２０側（前側）に向かって上側に向かうように傾斜する傾斜部４０が設けられている。その他の構成は実施形態７と同じである。
【００７８】
したがって、この実施形態でも、実施形態７と同様の作用効果が得られる。また、壁固定部材３０の下面部３３に傾斜部４０が設けられているので、配線類Ｃを配線カバー材１８の下側から上側に挿通させる場合に、その配線類Ｃの先端部を傾斜部４０の下面で案内して両固定部材２０，３０の上面部２２，３２間に向かわせることができ、配線類Ｃを上側に通し易くなるとともに、配線類Ｃを両固定部材２０，３０間で水平方向に通す場合にも、その配線類Ｃを上記傾斜部４０の上側に安定して保持でき、その落下を確実に防止することができる。
【００７９】
［その他の実施形態］
尚、上記各実施形態では、壁固定部材３０の基部３１に上下方向の長孔４４を形成し、その長孔４４に挿通されるネジ４２によって壁固定部材３０を壁部Ｗに固定することで、壁固定部材３０を高さ位置調整可能としているが、横板固定部材２０の基部２１に上下方向の長孔を形成し、同様にして横板固定部材２０を高さ位置調整可能とするようにしてもよく、或いは両固定部材２０，３０の基部２１，３１にそれぞれ長孔を形成して両固定部材２０，３０の高さ位置を相対的に調整することもできる。
【００８０】
また、上記各実施形態では、収納キャビネット１の各棚板３と壁部Ｗとの間の隙間を配線カバー材１８によって覆うようにしているが、その他、壁部Ｗと、その前側に設置される机やテーブルの天板（横板）との間の隙間を配線カバー材によって覆うようにしてもよい。
【産業上の利用可能性】
【００８１】
本発明は、天板や棚板等の横板と壁部との隙間を覆って見映えの向上及び小物類の落下防止を図り、横板と壁部との間に配線類を容易に挿通でき、さらには壁部の不陸を吸収して不陸による隙間の発生を防止できるので、極めて有用で産業上の利用可能性が高い。
【符号の説明】
【００８２】
Ｆ  床
Ｗ  壁部
１  収納キャビネット（収納体）
３  棚板（横板）
１８  配線カバー材
２０  横板固定部材
２１  基部
２２  上面部
２３  下面部
３０  壁固定部材
３１  基部
３２  上面部
３３  下面部
４０  傾斜部
４２  ネジ（締結具）
４３  薄肉ヒンジ部
４４  長孔
Ｃ  配線類
【図１】
2014140394.tif 000003
【図２】
2014140394.tif 000004
【図３】
2014140394.tif 000005
【図４】
2014140394.tif 000006
【図５】
2014140394.tif 000007
【図６】
2014140394.tif 000008
【図７】
2014140394.tif 000009
【図８】
2014140394.tif 000010
【図９】
2014140394.tif 000011
【図１０】
2014140394.tif 000012
【図１１】
2014140394.tif 000013